(57)【特許請求の範囲】
【請求項１】
ダイヤモンドワイヤソーをゴム支承の鋼板に位置させ、切断切り込み口及び抜け出し口にボルテックスチューブを近接設置して冷気を噴出させてダイヤモンドワイヤソーで切削し、ダイヤモンドワイヤソーによる切削の進行に伴って移動する切り込み口及び抜け出し口に冷気を噴射できるようにボルテックスチューブを移動させながら切断するゴム支承の切断撤去方法。
【請求項２】
請求項１において、ゴム支承の側面両側にレールを設置し、このレールに沿ってボルテックスチューブを移動可能にしてあるゴム支承の切断撤去方法。
【発明の詳細な説明】
【技術分野】
【０００１】
本発明は、橋梁や高速道路の高架橋等の積層ゴム支承の切断撤去方法に関する。
【背景技術】
【０００２】
下部構造物と上部構造物との間に設置されたゴム支承の老朽化に伴う交換作業が必要となり、既存のゴム支承を撤去し、代わりに新たなゴム支承を設置することが求められている。
【０００３】
ゴム支承１は、図３に示すように、ゴム層１２と硬質板（金属製板）１３が交互に積層された積層体であって、この積層体の周囲はゴム等の保護層１４で包囲されており、上下には上部構造物及び下部構造物に固定するための鋼板１０、１１が設けてある。
ゴム支承１のゴム層には各種のゴム、例えば天然ゴム、クロロプレンゴムなどが使用されている。 硬質板１３としては、一般的には鋼板などの金属製板が使用さており、その他の硬質板の材質としては、セラミックス、硬質合成樹脂等の材料が使用されている。
ゴム層１２の厚さは、４〜１５ｍｍ程度であり、鋼板などの硬質板１３の厚さはゴム層１２と同等または薄いものとしてあり、２〜１０ｍｍ程度である。
また、側面の保護層１４は、硬質板１３の金属製板を腐食損傷から保護するものであってこの保護層として、耐候性に優れるクロロプレンゴム、ブチルゴム、ハロゲン化ブチルゴム、エチレンプロピレンゴム、ウレタンゴム、シリコンゴムなどが使用されている。
【０００４】
ゴム支承の撤去方法としては、支承が設置してある橋台・橋脚等のコンクリートを斫り、ゴム支承を固定しているアンカーボルトを露出させ、アンカーボルトを切断して撤去する方法、ダイヤモンドワイヤソーによって橋台・橋脚のコンクリートを切断撤去してアンカーボルトを露出させる切断撤去方法、また、橋台コンクリートをウォータージェットで切断撤去してアンカーボルトを切断撤去する方法などが提案されている。
コンクリートを斫ると騒音や塵埃が発生するので都市高速道路などのように道路に近接して住居や事務所ビルがある場合、静穏な環境を破壊することになるので好ましくなく、また、騒音伝播の防止、塵埃の拡散の防止が必要であり、コストがかかると共に施工時間が長引くという問題がある。
更に、橋台・橋脚等の構造物本体を切断する方法は、構造物を部分的であっても破壊することになるので構造物に欠陥部が発生することになり、ゴム支承を撤去した後、これを修復して構造物を元の状態に戻す必要があり、時間と費用を要するものである。
【先行技術文献】
【特許文献】
【０００５】
【特許文献１】特開２０１７−１１５３２３号公報
【発明の概要】
【発明が解決しようとする課題】
【０００６】
本発明は、ゴム支承が設置されている橋台・橋脚等の構造物に手を加えることなくゴム支承本体のみをダイヤモンドワイヤソーで切断撤去できるようにするものであり、また、ゴム支承の内部には複数枚の鋼板がゴム支承内に存在するため、これをダイヤモンドワイヤソーで切断すると熱が発生し、この熱がゴムを軟化させ、更に軟化したゴムがワイヤソーに付着してワイヤソーの切断機能を低下させると共に付着したゴムが冷却されて固化してダイヤモンドワイヤソーの走行を案内するために設置されているプーリを破損したりしてダイヤモンドワイヤソーが稼働不可能となる場合がある。
また、ゴム支承を構成する上下の鋼板をダイヤモンドワイヤソーで切断すると高温となる。ゴム支承を構成するゴムは炭素製品であるので、高温になると発火してしまうので切断速度を低下させることなくゴムが発火することがないようにしなければならない。
冷却水による冷却は、水タンクの準備が必要であり、更に切断後の切粉を含む泥水が産業廃棄物であるので、水処理設備を必要とするなどコストがかかることになる。
本発明は、ダイヤモンドワイヤソーによるゴム支承の切断撤去において、ゴムがダイヤモンドワイヤソーに付着することがなく、また、ゴムが高熱となって発火することがないダイヤモンドワイヤソーによるゴム支承の切断撤去方法を提供するものである。
【課題を解決するための手段】
【０００７】
本発明は、切断対象のゴム支承にダイヤモンドワイヤソーを巻き付けて切断撤去するにあたり、ゴム支承の上下に設けてある上部・下部の鋼板を切断するものであって、切断によって生ずる熱による発火を防止し、ダイヤモンドワイヤソーが切断対象物のゴム支承に切り込む切り込み口と、ダイヤモンドワイヤソーがゴム支承から抜け出す抜け出し口の２カ所にボルテックスチューブを近接させて配設して冷気を切り込み口と抜け出し口に供給して温度上昇を抑制することによってダイヤモンドワイヤソーによるゴム支承の無水切断を可能としたものである。
更に、ボルテックスチューブをゴム支承の切断の進行に伴って移動することができるようにゴム支承にレールを設置し、このレールに沿ってボルテックスチューブを移動可能に設置するものである。
【発明の効果】
【０００８】
ボルテックスチューブは、圧縮空気を供給することによってマイナス３０℃以下の冷気を得るものであり、切断撤去の施工現場にコンプレッサーを搬入することができれば容易にマイナス３０℃以下の冷気を得ることができ、高架橋や橋梁等の施工現場においても切断箇所に集中的に冷気を吹き付けることが可能であるので切断部位およびダイヤモンドワイヤソーが高温になることを防止でき、ダイヤモンドワイヤソーへのゴムの付着を防止すると共に切断時の摩擦熱によってゴムが高温になるのを抑制してゴムが発火するのを防止することが可能であり、円滑にゴム支承を切断撤去することが可能である。
ボルテックスチューブから吐出される冷気は、吐出口から３０ｃｍ程度までしか到達しないので、ボルテックスチューブの冷気出口にホースを取付け、切断の進行に従ってゴム支承の切断部位に冷気を吹き付けて冷却することによって、ゴムが発火したり、また、ゴムが熱で溶融されてダイヤモンドワイヤソーに付着して切断能力を阻害することもないので、ゴム支承を円滑に切断撤去することが可能である。
【図面の簡単な説明】
【０００９】
【図１】ゴム支承切断におけるダイヤモンドワイヤソーの配置平面図。
【図２】ボルテックスチューブ（冷却装置）の配置概念図。
【図３】ゴム支承の断面図。
【発明を実施するための形態】
【００１０】
本発明を切断施工の実施例の図１及びダイヤモンドワイヤソーとボルテックスチューブの概略配置概念を示す図２に基づいて説明する。
図１のダイヤモンドワイヤソー２の配置平面図に示すようにダイヤモンドワイヤソー２とダイヤモンドワイヤソー駆動装置３及びボルテックスチューブ４をセットする。
図３のゴム支承１の断面図の矢印で示すゴム支承１の上下に設けてある鋼板１０、１１の位置にダイヤモンドワイヤソー２を巻き付け、ダイヤモンドワイヤソー駆動装置３によって走行させることによってゴム支承１の鋼板１０、１１の位置においてゴム支承１を上下２カ所で切断する。上下の鋼板１０、１１はどちらを先に切断しても構わない。
ボルテックスチューブ４は、ダイヤモンドワイヤソー２がゴム支承１に切り込んでいく切り込み口１ａとダイヤモンドワイヤソー２がゴム支承１から抜け出してくる抜け出し口１ｂに冷気が吹き込まれるように配置する。ボルテックスチューブ４は、図示しないコンプレッサーに高圧ホースによって接続され、コンプレッサーからボルテックスチューブ４に供給される圧縮空気が冷気に変換されて切り込み口１ａと抜け出し口１ｂに向かって噴出される。
ボルテックスチューブ４の冷気の吐出口にホース（図示しない）を接続し、ゴム支承１の切断切り込み口１ａにボルテックスチューブ４からの冷気を直接噴射し、ダイヤモンドワイヤソー２及び切断されている鋼板１０、１１を冷却する。
【００１１】
ダイヤモンドワイヤソー２がゴム支承１の鋼板１０、１１の切断の進行に伴って切り込み口１ａ及びダイヤモンドワイヤソー２の抜け出し口１ｂがダイヤモンドワイヤソー駆動装置３の方向へ移動するので、ボルテックスチューブ４を切り込み口１ａ及び抜け出し口１ｂの移動に同期させて移動させ、冷気が切り込み口１ａ及びダイヤモンドワイヤソー２がゴム支承１から外部に抜け出す抜け出し口１ｂに十分供給されるようにする。
その結果、ゴム支承１の切断は円滑に行なわれ、ゴム支承１のゴムの温度が発火点以下に抑制され、また、ゴムが溶融してダイヤモンドワイヤソー２に付着することがないので切断能力の劣化もなく、更に、付着したゴムによる駆動プーリ３ａ、方向転換プーリ３ｂの破損も生ずることがなく、ゴム支承１の上下の鋼板を切断することができた。
【００１２】
ボルテックスチューブ４をダイヤモンドワイヤソー２の切断位置の移動に同期して移動させやすいように、ゴム支承１の両側に移動用のレールを設置し、このレールにガイドさせてボルテックスチューブ４を自動的に、または、人力によって移動させることによって施工を効率的に行うことができる。
【符号の説明】
【００１３】
１      ゴム支承
２      ダイヤモンドワイヤソー
１３    硬質板（金属製板）
１４    保護層
１ａ     切り込み口
１ｂ      抜け出し口
３      ダイヤモンドワイヤソー駆動装置
３ａ    駆動プーリ
３ｂ    方向変換プーリ
４      ボルテックスチューブ
【要約】
【課題】ゴム支承をダイヤモンドワイヤソーで切断するにあたり、切断に伴う発熱によってゴム支承が溶融してダイヤモンドワイヤソーに付着して切断能力を低下させ、また、切断時に発生する熱によってゴム支承が発火することを防止する。
【解決手段】切断対象のゴム支承１にダイヤモンドワイヤソー２を巻き付け、切断部位にボルテックスチューブ４を近接させて配設して冷気を切断部に供給して切断時の摩擦熱による温度上昇を抑制し、ダイヤモンドワイヤソーへのゴムの付着を防止すると共にゴムが高温となって発火するのを防止して切断作業を円滑に行えるようにする。
ゴム支承１の上下２カ所の鋼板１０、１１をダイヤモンドワイヤソーによって切断することによってゴム支承を円滑に撤去することができる。
【選択図】図１【図１】
0006747740.tif 000002
【図２】
0006747740.tif 000003
【図３】
0006747740.tif 000004